(57)【要約】【課題】本発明は、白粉、パウダーファンデーションなどの粉状化粧料、およびパウダーパフなどの塗布具を収容する容器において、容器内およびその周囲に化粧料が飛散してしまうのを防止する粉状化粧料容器の改良に関するものである。【解決手段】容器６に中蓋８ａを嵌着して中蓋８ａ下方に白粉、パウダーファンデーション等の粉状化粧料１を収容する化粧料収容室３３を構成した構成において、少なくとも前記中蓋８ａの化粧料収容室３３を構成する仕切り部１６ａの一部を伸縮性のある材料により成形し、該仕切り部１６ａに上下に貫通した無数の切れ込み１１７を入れ、仕切り部１６ａを伸ばす事によって切れ込み１１７を開き、粉状化粧料１を取り出し可能とする。この切れ込み１１７は、仕切り部１６ａの伸長方向と交差した向きに配置する。【選択図】          図１
2005007093.tif 000002
【特許請求の範囲】
【請求項１】
容器６に中蓋８ａを嵌着して中蓋８ａ下方に白粉、パウダーファンデーション等の粉状化粧料１を収容する化粧料収容室３３を構成した構成において、
少なくとも前記中蓋８ａの化粧料収容室３３を構成する仕切り部１６ａの一部を伸縮性のある材料により成形し、該仕切り部１６ａに上下に貫通した無数の切れ込み１１７を入れ、仕切り部１６ａを伸ばす事によって切れ込み１１７を開き、粉状化粧料１を取り出し可能とした事を特徴とする粉状化粧料容器。
【請求項２】
前記切れ込み１１７は、仕切り部１６ａの通常使用状態で伸張する伸長方向と直交した向きに配置したことを特徴とする請求項１記載の粉状化粧料容器。
【発明の詳細な説明】
【０００１】
【発明の属する技術分野】
本発明は、白粉、パウダーファンデーションなどの粉状化粧料、およびパウダーパフなどの塗布具を収容する容器において、容器内およびその周囲に化粧料が飛散してしまうのを防止する粉状化粧料容器の改良に関するものである。
【０００２】
【従来の技術】
従来、白粉、パウダーファンデーションなどの粉状化粧料を粉体のまま収容し、その上方にパウダーパフと呼ばれる毛足の長いパフなどの塗布具を収容した容器が数多く提案されている。この容器の多くは、粉状化粧料の上方に中蓋をかぶせ、この中蓋に塗布具を戴置する形態となっていた。そしてこの中蓋には、下方に貫通した無数の小孔が穿設されていた。使用時には、この小孔を通して粉状化粧料を塗布具に付着させ塗布していた。
【０００３】
【発明が解決しようとする課題】
しかし、携帯時などの振動で、粉状化粧料が小孔を通して塗布具の収納室の方に移動し、塗布具が粉状化粧料だらけになってしまう事があった。この問題は、携帯時に中蓋の小孔をふさぐ機構を設ければ解消できるのであるが、使用時に中蓋の小孔を解放する操作が必要になって面倒になり、部品点数も増加してコストアップの要因となっていた。また、最近では、化粧料の密着力、カバー力、付けた時の感触のよさから、粉体をより微細にした超微粒子タイプの粉状化粧料が提供されている。この超微粒子タイプの粉状化粧料は、より塗布具収納室の方に移動しやすく、また容器の蓋体を開けた空気の流れで塗布具収納室の化粧料が外部に飛散しやすくなってしまっていた。
【０００４】
【課題を解決するための手段】
そこで、本発明では少なくとも中蓋８ａの仕切り部１６ａの一部を伸縮性のある材質で成形し、この仕切り部１６ａに無数の切れ込み１１７を入れ、無負荷の状態（使用しない時）には切れ込み１１７が閉じて化粧料収容室３３を閉鎖し、負荷の状態（使用時）に仕切り部１６ａを伸張させて切れ込み１１７を開き、化粧料１を化粧料収容室３３から切れ込み１１７を通して取り出し可能にし、化粧料１を塗布具３１ａに付着できるようにした。
【０００５】
【発明の実施の形態】
容器６に中蓋８ａを嵌着して中蓋８ａ下方に白粉、パウダーファンデーション等の粉状化粧料１を収容する化粧料収容室３３を構成した構成において、少なくとも前記中蓋８ａの化粧料収容室３３を構成する仕切り部１６ａの一部を伸縮性のある材料により成形し、該仕切り部１６ａに上下に貫通した無数の切れ込み１１７を入れ、仕切り部１６ａを伸ばす事によって切れ込み１１７を開き、粉状化粧料１を取り出し可能とする。この切れ込み１１７は、仕切り部１６ａの通常使用状態で伸長する伸長方向と直行した向きに配置する。
【０００６】
【実施例】
次に本発明を実施する場合について説明する。本発明実施例においては、粉状化粧料容器を収容する容器は、ネジキャップで密閉するボトルタイプの容器について説明するが、これは本発明を限定するものではなく、蓋体が容器と蝶番で連結したコンパクトケースタイプや、キャップが容器に嵌合するタイプの容器などにも実施可能であることは言うまでもない。
【０００７】
粉状化粧料１を収容する容器６は、上部が開口した有底状をしており、上部外周にキャップ８が嵌合する首部７が設けられている。この首部７の外周には、キャップ８の内周に設けられた雌ネジ１０ａが螺合する雄ネジ１１ａが設けられている。この容器６の開口部には、中蓋８ａが嵌合して、中蓋８ａ下方が白粉、パウダーファンデーションなどの粉状化粧料１を収容する化粧料収容室３３となっている。また、中蓋８ａ上方は、キャップ８内面との間に塗布具収納室３５を構成し、パウダーパフと呼ばれる毛足の長いパフなどの塗布具３１ａを戴置している。
【０００８】
中蓋８ａは、シリコンゴムなどの伸縮性のある材料から成形されており、外周が容器６の首部７口元に嵌合止着される止着部１２４となっている。この止着部１２４の上面は、キャップ８の嵌合時にキャップ８の天井面に当接して容器６内部を密閉するパッキン１２になっている。中蓋８ａの、容器６口元開口部を閉鎖した部分は、仕切り部１６ａとなっておりこの仕切り部１６ａによって下方が化粧料収容室３３に、上方が塗布具収納室３５とに分割している。この仕切り部１６ａには、下面まで貫通した切れ込み１１７が設けられている。この切れ込み１１７は、ミシン目状に断続して設けられ、仕切り部１６ａの中心から同心円状、若しくは渦巻状に配置されている。
【０００９】
この切れ込み１１７は、使用しない時、若しくは携帯時など、負荷が加わらない状態においては閉じており、化粧料収容室３３と塗布具収納室３５とを完全に隔離するよう構成している。そして、塗布具３１ａに化粧料１を付着させる操作のために塗布具３１ａで中蓋８ａの仕切り部１６ａを押すと、仕切り部１６ａが伸張して切れ込み１１７が開き、化粧料収容室３３内の化粧料１を切れ込み１１７を通して塗布具３１ａに付着させる事ができる。
【００１０】
本発明は、以上構成のため、使用しないときには、中蓋８ａの仕切り部１６ａの切れ込み１１７は閉じており、不用意に化粧料１が塗布具収納室３５内に侵入しないようになっている。そして、使用時には塗布具３１ａなどで仕切り部１６ａを伸張させれば、切れ込み１１７が開く。この状態で、塗布具３０を化粧料１に押し付ければ、塗布具３０に粉状化粧料１を付着させる事ができる。若しくは、塗布具３１ａで仕切り部１６ａを伸張させた状態で容器６を逆さまにすれば、化粧料１が切れ込み１１７を通して塗布具３０に落下し、塗布具３０に粉状化粧料１を付着させる事ができる。
【００１１】
なお本発明実施例においては、中蓋８ａ全体を伸縮性のある材料で成形した構成を説明したが、少なくとも仕切り部１６ａの一部が伸縮性のある材料で成形されていればよい。例えば、止着部１２４を硬質樹脂で成形して中蓋８ａの固定を確実にし、仕切り部１６ａを伸縮性のある材料で成形する事も可能である。また仕切り部１６ａは、上部に一般的に使用されている伸縮性のあるメッシュを配置し、下部に本発明の切れ込み１１７を設けた伸縮性シートを配置して、２層で構成することも可能である。
【００１２】
この伸縮性のある材料であるが、切れ込み１１７を入れて伸縮させる関係から、ウレタンゴムのように伸縮性があるが裂けやすい材質は不適当で、シリコンゴムのような伸縮性があり裂けにくい材質が適当である。また、仕切り部１６ａの肉厚であるが、振動で仕切り部１６ａが振れたときや、容器６が逆さまになって化粧料１の重みが仕切り部１６ａに加わってしまったとき、切れ込み１１７が開いてしまわないよう、ある程度の厚みが必要である。具体的には、０．３ｍｍ程度から３．０ｍｍ程度必要である。また、仕切り部１６ａを２層で構成したものは、伸縮性のメッシュで伸縮性シートが保護されるため、伸縮性シートの肉厚を単独のものよりも薄くしても同じ効果が得られる。
【００１３】
中蓋８ａの仕切り部１６ａの切れ込み１１７の配置であるが、実施例の中では仕切り部１６ａの中心から同心円状、若しくは渦巻状に配置されているが、仕切り部１６ａの通常使用状態で伸縮する伸長方向と直交した向きに配置するという約束を守っていれば、切れ込み１１７の配置、および数は自由に設定できる。
【００１４】
【発明の効果】
本発明は以上のように、少なくとも中蓋８ａの仕切り部１６ａの一部を伸縮性のある材質で成形し、この仕切り部１６ａに無数の切れ込み１１７を入れ、無負荷の状態（使用しない時）には切れ込み１１７が閉じて化粧料収容室３３を閉鎖し、負荷の状態（使用時）に仕切り部１６ａを伸張させて切れ込み１１７を開き、化粧料１を化粧料収容室３３から切れ込み１１７を通して取り出し可能にし、化粧料１を塗布具３１ａに付着できるようにしたため、不用意な塗布具収納室３５への化粧料１の侵入を完全に防止している。したがって、キャップの開閉などの空気の流入で塗布具収納室３５内に不用意に侵入した化粧料１の飛散も起こる事もない。
【００１５】
しかも、中蓋８ａを伸縮性のある材質に変更し、中蓋８ａの仕切り部１６ａに切れ込み１１７を入れることにより実施できるため、容器６自体が既存のものが流用でき、複雑になることもなく、コストアップになるような事もない。
【図面の簡単な説明】
【図１】本発明実施例の粉状化粧料容器の正面断面図である。
【図２】本発明実施例の粉状化粧料容器の塗布具に化粧料を付着させる際の正面断面図である。
【図３】本発明実施例中蓋の仕切り部の平面図である。
【図４】本発明実施例粉状化粧料容器の仕切り部の切れ込みが広がった状態のイメージである。
【符号の説明】
１    粉状化粧料
６    容器
３３    化粧料収容室
８ａ    中蓋
１１７    切れ込み
【図１】
2005007093.tif 000003
【図２】
2005007093.tif 000004
【図３】
2005007093.tif 000005
【図４】
2005007093.tif 000006
【手続補正書】
【提出日】平成16年6月9日(2004.6.9)
【手続補正１】
【補正対象書類名】明細書
【補正対象項目名】請求項２
【補正方法】変更
【補正の内容】
【請求項２】
前記切れ込み１１７は、仕切り部１６ａの通常使用状態で伸張する伸長方
向と交差した向きに配置したことを特徴とする請求項１記載の粉状化粧料容器。
【手続補正２】
【補正対象書類名】明細書
【補正対象項目名】００１３
【補正方法】変更
【補正の内容】
【００１３】
中蓋８ａの仕切り部１６ａの切れ込み１１７の配置であるが、実施例の中では仕切り部１６ａの中心から同心円状、若しくは渦巻状に配置されているが、仕切り部１６ａの通常使用状態で伸縮する伸長方向と交差した向きに配置するという約束を守っていれば、切れ込み１１７の配置、および数は自由に設定できる。


【手続補正３】
【補正対象書類名】明細書
【補正対象項目名】図面の簡単な説明
【補正方法】変更
【補正の内容】
【図面の簡単な説明】
【図１】本発明実施例の粉状化粧料容器の正面断面図である。
【図２】本発明実施例の粉状化粧料容器の塗布具に化粧料を付着させる際の正面断面図である。
【図３】本発明実施例中蓋の仕切り部の平面図である。
【図４】本発明実施例の中蓋を複数パーツで構成した粉状化粧料容器の正面断面図である。
【図５】  本発明実施例のコンパクト形態をした粉状化粧料容器の斜視図である。
【符号の説明】
１    粉状化粧料
６    容器
３３    化粧料収容室
８ａ    中蓋
１１７    切れ込み


【手続補正４】
【補正対象書類名】図面
【補正対象項目名】図４
【補正方法】変更
【補正の内容】
【図４】
2005007093.tif 000007
【手続補正５】
【補正対象書類名】図面
【補正対象項目名】図５
【補正方法】追加
【補正の内容】
【図５】
2005007093.tif 000008